(57)【要約】【課題】  食器かごに収納された食器類を洗浄槽内の底部に設けた洗浄ノズルと、該洗浄ノズルの中央部から上方に向けて伸びたタワーノズルとを有しても、使用する水量を少なくして洗浄性能を向上させる。【解決手段】  食器類を収納する食器かご１７と、この食器かごを載置する洗浄槽２と、洗浄水を圧送する洗浄ポンプ５と、圧送された洗浄水を洗浄槽の底面付近で回転しながら噴射する複数のノズル孔を有する洗浄ノズル１１と、洗浄ノズル１１の略中央部から上方に伸びた固定ノズル孔を有するタワーノズル１３と、前記洗浄ノズルへの送水とタワーノズルへの送水を切り換える分水切換手段７と、を設けた。【選択図】図２
2008073131.tif 000002
【特許請求の範囲】
【請求項１】
食器類を収納する食器かごと、この食器かごを載置する洗浄槽と、洗浄水を圧送する洗浄ポンプと、圧送された洗浄水を洗浄槽の底面付近で回転しながら噴射する複数のノズル孔を有する洗浄ノズルと、洗浄ノズルの略中央部から上方に伸びた固定ノズル孔を有するタワーノズルと、前記洗浄ノズルへの送水とタワーノズルへの送水を切り換える分水切換手段と、を設けた食器洗い機。
【請求項２】
請求項１記載の食器洗い機において、前記タワーノズルの先端に前記固定ノズル孔から噴出する洗浄水によって回転する水撒部材を有する食器洗い機。
【請求項３】
請求項１記載の食器洗い機において、前記分水切換手段は、前記洗浄ノズルと前記タワーノズルへの送水時間を同一か異なる時間で切り換える食器洗い機。
【請求項４】
請求項１記載の食器洗い機において、前記分水切換手段は、前記洗浄ノズルへの送水時間が、タワーノズルへの送水時間よりも長くなるように切り換える食器洗い機。
【請求項５】
請求項２記載の食器洗い機において、前記水撒部材は、上部に洗剤収容部を有し、該洗剤収容部の下部にタワーノズルの固定ノズル孔の上部に位置して洗剤収容部に通じる噴射口を有する食器洗い機。
【請求項６】
請求項２記載の食器洗い機において、前記水撒部材は、前記洗浄ノズルとは異なる回転数で回転する食器洗い機。
【請求項７】
請求項２記載の食器洗い機において、前記水撒部材の外周に、前記タワーノズルの固定ノズル孔から噴射する洗浄水をガイドしながら回転力に変える複数の羽根を有する食器洗い機。
【請求項８】
請求項２記載の食器洗い機において、前記水撒部材の下方部は、上方に広がり異なる複数の曲面からなる食器洗い機。
【請求項９】
請求項７記載の食器洗い機において、前記羽根は、前記タワーノズルの固定ノズル孔の直上にある回転羽根の下方部は直線状に設けられ、上方部に移動するにつれ、徐々に周方向へ円弧状に設けられた食器洗い機。
【請求項１０】
請求項２記載の食器洗い機において、前記食器かごは下段かごと上段かごからなり、前記上段かごは、前記水撒部材の上端よりも上で、前記水撒部材の回転範囲よりも外側に食器類を搭載する保持部を有する食器洗い機。
【請求項１１】
請求項１０記載の食器洗い機において、前記上段かごは、収納するコップ類の中心軸と水平面とが成す角度が略４５度以下となるように傾け、コップ類の開口部が水撒部材側に向くように配置する保持部を有する食器洗い機。
【請求項１２】
請求項１０記載の食器洗い機において、前記上段かごの前記水撒部材の近傍に設けられ、蓋部を有する小物かごを有する食器洗い機。
【発明の詳細な説明】
【技術分野】
【０００１】
本発明は、洗浄槽の底面付近に設けられ、回転しながら洗浄水を噴射する洗浄ノズルと、洗浄ノズルの略中央部から上方に伸びたタワーノズルから噴射する洗浄水により洗浄槽内の食器かごに収納した食器類を洗浄する食器洗い機に関するものである。
【背景技術】
【０００２】
従来のこの種の食器洗い機として、例えば特開２００５−５８６５５号公報（特許文献１）や特開平８−５６８８５号公報（特許文献２）に記載されているものがある。
【０００３】
特許文献１に記載されている食器洗い機は、洗浄槽内に食器かごが着脱自在に設けられ、食器かごの下方に回転自在な下洗浄ノズルが設けられている。また、下洗浄ノズルの略中央部には送水口が設けられ、該送水口に側壁面の下部から上部の間に複数のノズル孔を設けた筒状のタワーノズルが下洗浄ノズルとは独立して回転するように設けられている。
【０００４】
また、前記タワーノズルは、下洗浄ノズルの送水口に連結し、給水口から洗浄水を供給して食器かご内の食器類に洗浄水を噴きつけて洗浄を行う構成となっている。
【０００５】
また、前記タワーノズルは、下洗浄ノズルから着脱可能であり、タワーノズルを取り外して異なる回転ノズルを取り付けることにより、下からの洗浄ノズルをダブルで回転させたり、または取り外して異なる上段ノズルを取り付けることにより、上，下洗浄ノズルをダブルで回転させることが可能な構成となっている。
【０００６】
一方、特許文献２に記載されている食器洗い機は、タワー状の補助ノズルへ洗浄水を流入させる流入口の内部に、該流入口を開閉するためのボール弁機構が設けられ、メインの回転する洗浄ノズルだけで洗浄するか、メインの洗浄ノズルとタワーノズルの双方から洗浄するかをボール弁を用いて制御する構成となっている。
【０００７】
【特許文献１】特開２００５−５８６５５号公報
【特許文献２】特開平８−５６８８５号公報
【発明の開示】
【発明が解決しようとする課題】
【０００８】
上記従来の構成において、特許文献１及び２ともタワー状のノズルは、補助ノズルとして使用されており、メインである下洗浄ノズルからの噴射と同時に補助的に噴射するか、またはタワーノズルの送水経路を弁で塞ぐことによりタワーノズルを使用しないで下洗浄ノズルのみ運転する構成であり、タワーノズル単独では使用できない構成となっている。
【０００９】
また、メインの洗浄ノズルを回転するのと同時にタワーノズル全体も同様に回転させるためには、タワーノズル側にも相応の送水量が必要となってくる。それによってメインの下洗浄ノズルとタワーノズルに同時に相応の送水量を供給するために出力の大きいポンプが必要となり、かつ全体の使用水量も多く必要になってくる。
【課題を解決するための手段】
【００１０】
本発明の食器洗い機は、上記の課題を解決するためになされたものであり、具体的には下記の構成を有するものである。
【００１１】
すなわち、食器類を収納する食器かごと、この食器かごを載置する洗浄槽と、洗浄水を圧送する洗浄ポンプと、圧送された洗浄水を洗浄槽の底面付近で回転しながら噴射する複数のノズル孔を有する洗浄ノズルと、洗浄ノズルの略中央部から上方に伸びた固定ノズル孔を有するタワーノズルと、前記洗浄ノズルへの送水とタワーノズルへの送水を切り換える分水切換手段と、を設けたものである。
【発明の効果】
【００１２】
本発明によれば、洗浄槽の底面付近で回転しながら噴射する洗浄ノズルへの送水と、洗浄ノズルの略中央部から上方に伸びた固定ノズル孔を有するタワーノズルへの送水とを分割し、夫々個別に運転することができるようにしたので、洗浄ノズルとタワーノズルでの洗い工程に必要な使用水量を抑えることができる。
【００１３】
また、洗浄ノズルへの送水とタワーノズルへの送水を切り換える分水切換手段を設けるとともに、タワーノズルの先端部に固定ノズル孔から噴出する洗浄水によって回転する水撒部材を設けたので、全体の使用水量が少なくても洗浄性能を向上する食器洗い機を提供することができる。
【発明を実施するための最良の形態】
【００１４】
本発明の一実施例である食器洗い器について、添付図面に従って説明する。
【００１５】
図１及び図２において、システムキッチンに挿入されて固定される外枠１内に、引き出し型の洗浄槽２が出し入れ自在に収納されている。
【００１６】
洗浄槽２は、図２に示されるように、上下２段に食器類１７を収納した食器かご１８を出し入れするために、上方に開口している。外枠１の両側下部に設けられた移動レール３が洗浄槽２を前後方向に移動自在に支持する。
【００１７】
洗浄槽２の前方に設けられた前側パネル４は、その前面に洗い、乾燥などの食器洗い機の運転を操作する操作ボタン（図示せず）が設けられ、その洗浄槽２側には食器洗い器の運転を制御する制御手段（図示せず）が設けられる。
【００１８】
図２において、食器かご１８は、下段かご１８ａと上段かご１８ｂの２段で構成され、本実施例では、下段かご１８ａには主に皿類や椀類等の食器類１７ａを収納し、上段かご１８ｂには主にコップ類１７ｂを収納している。
【００１９】
図２では模式的に示したが、洗浄槽２の下部には、洗浄水を噴射するために洗浄水を圧送する圧送手段である洗浄ポンプ５が設けられている。洗浄ポンプ５は、図８から図１１を用いて後述する分水機構部７と、配管８を介して接続する。配管８は模式的に記載したため、引き回された管路が示されているが、洗浄ポンプ５と分水機構部７との位置関係により短い管路としても良いことは言うまでもない。
【００２０】
洗浄ポンプ５は、洗浄槽２の底部に設けられた水取入口から洗浄水を吸込み、洗浄水を加圧する。加圧された洗浄水は、分水機構部７により洗浄ノズル１１又はタワーノズル
１３から洗浄槽２内に噴出する。噴出した洗浄水は、食器かご１８や洗浄槽２の内壁に当たって反射して食器類１７に当たり、若しくは食器類１７に直接当たることで、その水圧や水の浸透により食器類１７に付着した汚れを剥離・洗浄する。食器類１７に当たった洗浄水は勢いが弱まり最終的には洗浄槽２の底部に落下することで、洗浄水が循環する。
【００２１】
分水機構部７に対して回転可能に接続した洗浄ノズル１１は、ひし形を一対角線方向に伸ばした中空の直線的な扁平２枚翼形状である。その内部を洗浄水が通り洗浄槽２の内側に対向する翼部の上面に複数のノズル孔１０ａが設けられ、翼端である両側先端に回転推進用ノズル孔１６が設けられている。
【００２２】
図３に示す回転推進用ノズル孔１６から洗浄水が噴射することにより、ノズル孔１０から洗浄水を噴出しながら分水機構部７上で回転する。洗浄ノズル１１が回転する位置は、分水機構７が洗浄槽２の底部の中央部に設けられることで、洗浄ノズル１１は洗浄槽２の底部中央で回転する。
【００２３】
ノズル孔１０ａから噴出した洗浄水は、食器かご１８に上下２段（下段かご１８ａ，上段かご１８ｂ）にわたって配置された食器類１７を下側から効率良く、かつ均等に洗浄するために、ノズル孔１０ａは洗浄槽２の内側に向けて夫々が異なる方向に開口する。
【００２４】
洗浄ノズル１１の略中央部には、中空のタワーノズル１３が上方に向かって設けられている。このタワーノズル１３は、分水機構部７を通じて供給される加圧された洗浄水を、洗浄ノズル１１が設けられた洗浄槽２の底部から上方に洗浄水が流れる管路である。
【００２５】
タワーノズル１３の洗浄ノズル１１側の端部と、洗浄ノズル１１の内部であって洗浄ノズル１１の回転軸に軸心を同じくする中央ノズル軸６ｂとが接続する（図１０参照）。
【００２６】
図４に詳細に示すように、タワーノズル１３の先端内側に、複数個の固定ノズル孔１２が周方向に設けられている。タワーノズル１３に設けられた固定ノズル孔１２の全開孔面積は、洗浄ノズル１１のノズル孔１０及び回転推進用ノズル孔１６を合わせた全開孔面積以下となるように設定する。固定ノズル孔１２の開口部の全面積を洗浄ノズル１１に設けられた洗浄水を噴き出す孔の全面積よりも小さくすることで、固定ノズル孔１２から噴き出す洗浄水の流速が早くなり、また、洗浄ノズル１１よりも水撒部材１４の回転半径が小さいことから、洗浄ポンプ５からの水の流量が変わらなければ、水撒部材１４の回転速度が洗浄ノズル１１よりも早くなる。そのため、洗浄ノズル１１に対しても水撒部材１４が洗浄水を供給する範囲が狭くなることはない。
【００２７】
タワーノズル１３の先端中心部には漏斗形状の水撒部材１４が回転可能に取り付けられており、水撒部材１４から食器かご１８に搭載された食器１７に向けて洗浄水が噴出する。具体的には、タワーノズル１３の先端中心部であって固定ノズル孔１２の内側に設けられた穴に支持部材１３ａが挿入され、その支持部材１３ａに対して上向きに広がる曲面を備えた略漏斗形状の水撒部材１４を軸部１３ｂによって回転可能に取り付けられている。
【００２８】
洗浄ノズル１１，タワーノズル１３及び水撒部材１４との関係は、図３に示すように、同軸上に組み合わせられている。
【００２９】
水撒部材１４の上向きに開口する内周面は、図５に断面を示したように、下側に窪んでおり、洗剤１９を搭載することできる洗剤収容部１４ｂである。洗剤収容部１４ｂの最下部には、固定ノズル孔１２の上部に位置するよう開口する噴射口１５が設けられている。
【００３０】
図６及び図７に示すように、水撒部材１４の上向きに広がる曲面からなる下側外周面には、長回転羽根１４ａ１と短回転羽根１４ａ２とが交互に設けられている羽である。
【００３１】
長回転羽根１４ａ１と短回転羽根１４ａ２は、図７に示すように、タワーノズル１３の固定ノズル孔１２に近い下方部では上に向かって水をガイドする。水撒部材１４をタワーノズル１３側から見ると、図７に示すように、上方に向かうにつれて徐々に回転方向と反対側に向かって水をガイドするように円弧を描きながら変化していく形状、つまりタワーノズル１３の固定ノズル孔１２の直上にある回転羽根の下方部は直線状に設けられ、上方部に移動するにつれ、徐々に周方向へ円弧状に設けられている。
【００３２】
また、長回転羽根１４ａ１と短回転羽根１４ａ２は等間隔で設けられており、両者の間隔が狭くなる下方部におけるスペースは一定幅を保持しつつ、逆に間隔が広くなる中央部から上方部においては短回転羽根１４ａ２によって効率よく水をガイドして、回転力をもたらすようにしている。
【００３３】
水撒部材１４が回転すると、固定ノズル孔１２からの噴射水は、水撒部材１４の半径方向に角度を変えながら、また周方向にも角度を変えながら放出される（図２の矢印）。この噴出して放水された水流は、噴射角度が９０°（真横噴射）以上とし、上向きに徐々に開いていき水撒部材１４の上端位置から上側に向かって噴射する。
【００３４】
次に、図８から図１１を用いて、分水機構部７について説明する。図８に示すように、分水機構部７は、配管８と接続して洗浄水が流入する配管接続部７ａと、下部に設けられた駆動モータ９により回転する分水切換弁６ａと、分水切換弁６ａに対して上側に設けられ複数の開口部（図８においては４箇所）を有する上部分水部７ｂとを有している。
【００３５】
分水切換弁６ａは、上部分水部７ｂの下方で接し、扇状の開口穴６ａ１を上部分水部の７ｂの開口部と対向する位置に有する。本実施例では、上部分水部７ｂの開口部が４つ設けられ、図９に示すように分水切換弁６ａに設けられた二つの開口孔６ａ１とで、二つの流路を形成する。そして分水切換弁６ａは、駆動モータ９により回転することで、二つの流路を１系統として、計２系統に分水する。
【００３６】
２系統に分水される洗浄液は、上部分水部７ｂの上に設けられるノズル軸６ｂにより、図１０に示すように開口穴６ａ１を通して洗浄ノズル１１に連通する場合と、図１１に示すようにノズル軸６ｂを通してタワーノズル１３に連通する場合の、二系統に分水することができる。本実施例の分水機構部７は、開口穴６ａ１が全閉塞にはならない構造である。しかし、上部分水部７ｂと分水切換弁６ａとの組み合わせにより、開口穴６ａ１が完全に閉塞するような領域を上部分水部７ｂの分水切換弁６ａに設けるようにしてもよい。但し、開口穴６ａ１が完全に閉塞する時間が長いと洗浄ポンプ５を一旦停止する必要が生じる。
【００３７】
また、図８，図９で示した構成では、駆動モータ９による分水切換弁６ａの位置によっては、洗浄ノズル１１への水系統と、タワーノズル１３への水系統の２種類へ同時に給水することが可能である。この２系統へ同時に洗浄水を給水するとそれぞれへの洗浄水の給水量が半減することになり、洗浄力が落ちることになるが、両者から洗浄水が供給される位置においては複合した噴出水流が食器に当たることになるので、例えば、洗浄槽２の中央部に多くの食器を搭載した場合には、異なる洗浄力が得られる場合もある。
【００３８】
次に、上述の構成を備えた本実施例における食器洗い機の運転状態について説明して、洗浄運転時における洗浄ノズル１１，タワーノズル１３への送水動作について説明する。
【００３９】
まず、洗浄槽２を外枠１から引き出し、食器類１７を上段と下段の２段で構成する食器かご１８の所定位置に配列する。このとき、下段かご１８ａには主に皿類や椀類等の食器類１８ａを収容し、上段かご１８ｂには主にコップ類１７ｂを収納する。
【００４０】
このとき、上段かご１８ｂに収容されたコップ類１７ｂは図１２に示すように中心軸と水平面が成す角度θ°が水平方向に対して略４５度以下になるように寝かせた状態で、開口部が水撒部材１４側に向くように配置されるのが好ましい。このとき水撒部材１４を中心とした円周上にコップ類１７を配置できるのが最も好ましいが、図１３に示すように洗浄槽２の中心に向かって直線の列を複数形成することによっても、矩形上の洗浄槽２においては収容力が向上するので好ましい。
【００４１】
また、水撒部材１４の回転半径よりも外側で、該水撒部材１４の上端部よりも上側になるようにコップ類１７ｂが配置される。
【００４２】
また、コップ類１７ｂは水撒部材１４に近いものが遠いものよりも最下部が高い位置になるように、水撒部材１４からの距離に応じてコップ類１７ｂの最下部の高さを変えるようにすると、コップ類１７ｂに対してより洗浄力が高まるのでよい。
【００４３】
このような配置とすることにより、水撒部材１４の側面から斜め上に向けて噴射される噴射水が効率よくコップの奥まで送り込まれるようになり、かつ洗浄後にコップ類の糸底にも水が残りにくくなる。
【００４４】
底面付近に設けた洗浄ノズル１１による上段かご１８ｂのコップ類１７ｂへの洗浄に対する寄与率を減らし、タワーノズル１３や水撒部材１４の洗浄を主体とすることにより、下段かご１８ａの食器類の配置にあまり影響を受けることなく安定した洗浄ができる。
【００４５】
また、図１２に示すように、上段かご１８ｂにコップ類１７ｂの代わりに蓋２０ａを有する小物かご２０を設置してもよい。この小物かご２０は、その中にお猪口やキャップ類等の小さくて軽い食器類を入れて蓋２０ａをすることで、水撒部材１４からの噴射水を主体として内部の小さな食器類も洗浄することが可能である。
【００４６】
特に、お猪口やキャップ類等の小さくて軽い食器類は、従来のような線材で支えて食器を固定するタイプの食器保持部材であると、洗う時にきちんと食器かご１８に固定して収納することができないので、噴射水の勢いによって洗浄槽２内で動いてしまい、洗いにくいうえ、洗浄水を遮断したり、方向を変えたりして他の食器類の洗浄を邪魔してしまう場合もあった。
【００４７】
しかし、蓋２０ａをした小物かご２０を設けることで、その中に入れて上段かご１８ｂの水撒部材１４の近傍に設置した状態で洗浄することにより、他の食器類１７に影響を及ぼすことなく、他の食器に対しても確実に洗浄できる。
【００４８】
以上の説明は食器の収納に関して、食器の収納箇所と水撒部材１４との関係について述べた。食器を収納した後は、準備した洗剤を、水撒部材１４の洗剤収容部１４ｂに入れる。そして、洗浄槽２を外枠１内に押し込む。
【００４９】
次に前側パネル４に設けられた運転ボタンを操作することにより食器洗い機の運転が開始する。
【００５０】
運転ボタンにより食器の洗浄，すすぎ，乾燥の各工程を連続して行う場合について説明する。まず洗浄運転が開始すると、図示しない排水穴から通じる排水経路を開放して排水処理を実行する。これは洗浄槽２内に給水する際に、直前に使用した洗浄水やすすぎ水が確実に混じらないようにするためである。そして、洗浄水供給手段（図示せず）により洗浄槽２内へ規定の水量だけ給水を行う。
【００５１】
次に、食器類１７についた大まかな汚れや残菜を落とすための予備洗い工程を行う。洗浄槽２内に溜まった水が、洗浄ポンプ５の運転により、洗浄槽２の底部に設けられた吸込口から洗浄ポンプ５に吸込まれ、加圧されて配管８を介して分水機構部７に送り込まれる。
【００５２】
運転開始直後の１回目は図５に示すように、駆動モータ９が回転制御され、分水切換弁６ａの開口穴６ａ１と洗浄ノズル１１に連通する上部分水部の開口部とが合致するように分水切換弁６ａが設定され、洗浄ポンプ５からの洗浄水が洗浄ノズル１１に供給される流路が形成される。
【００５３】
これにより、洗浄ノズル１１へ洗浄ポンプ５からの水が送水され、洗浄ノズル１１に送り込まれた水が、洗浄ノズル１１の上面に設けられた複数のノズル孔１０を通して上方に噴射する。ノズル孔１０からの噴射と同時に、洗浄ノズル１１の左右の先端に設けられた回転推進用ノズル孔１６にも水が供給され噴射する。
【００５４】
回転推進用ノズル孔１６は、その噴射角度を図３の矢印のように回転方向と反対側に向くように設けられているので、回転推進用ノズル孔１６から噴出した水の反作用で洗浄ノズル１１はその噴出方向と反対に回転しながら、食器類１７の下方から上方へとノズル孔１０から洗浄水の噴射を行う。
【００５５】
一定時間洗浄ポンプ５を運転して、ある程度大きな汚れや残菜を落とした後、洗浄ポンプ５を停止して予備洗い工程を終了する。次に排水工程に移り、一旦水を排水し、新たに給水工程に入り、規定の水量を補充する。
【００５６】
給水が終わると本洗い工程を行う。まず、駆動モータ９を動かし、図１１に示すように、タワーノズル１３に接続するノズル軸６ｂと連通する上部分水部７ｂの開口部と、分水切換弁６ａの開口穴６ａ１と合致するように分水切換弁６ａが設定される。そして、洗浄ポンプ５から送水された水の流路をノズル軸６ｂに連通させ、タワーノズル１３への送水に切り換える。
【００５７】
タワーノズル１３への水流路が駆動モータ９を制御して形成されたら、洗浄ポンプ５の運転を開始して、洗い工程を開始する。
【００５８】
タワーノズル１３に水が供給されると、その水は固定ノズル孔１２から、タワーノズル１３の先端に取り付けた水撒部材１４の噴射口１５に洗浄水が噴射する。洗剤１９の入った洗剤収容部１４ｂの底から噴射口１５を通じて洗浄水が噴射することで、洗剤収容部
１４ｂ内に水が流れ込み、洗剤１９をその水圧で撒き散らしつつ洗浄水が水撒部材１４から噴射する。
【００５９】
一方、固定ノズル孔１２から噴射した多くの噴射水は、洗剤収容部１４ｂの噴射口１５を通らずに、長回転羽根１４ａ１と短回転羽根１４ａ２にガイドされて噴出する。すると、水撒部材１４下部の外周曲面に沿って流れつつ水撒部材１４の外周へと送られ、水撒部材１４は、その水流の圧力の反作用で回転動作を行う。
【００６０】
水撒部材１４の下部の曲面は一定ではなく変化しながら上部の外周とつながっているため、曲面に沿って流れる水は各々角度を変化させながら流れ、最終的にいろいろな角度で水撒部材１４の下部から洗浄槽２内に放水され、これにより食器類１７にいろいろな角度で水を当てることができ、効率良く洗浄することができる。
【００６１】
一定時間、タワーノズル１３による洗い運転を行った後、分水切換弁６ａを駆動モータ９の回転により切り換え、食器かご１８の下の洗浄ノズル１１への流路に切り換える。そして図１０に示す水流路を形成して、洗浄ノズル１１からの噴射による食器１７の洗い運転を行う。
【００６２】
そして一定時間、洗浄ノズル１１による洗い運転を行った後、再びタワーノズル１３へと分水切換弁６ａを切り換える。これを一定サイクル繰り返し行った後、最後にタワーノズル１３による洗い運転で終了し、排水工程を行い本洗い工程が終了する。最後にタワーノズル１３へ洗浄水を供給して終了するのは、食器１７に対して上から洗浄水をかけることにより、より汚れや残菜を下方に落とすためである。
【００６３】
このように本実施例では、予洗い工程で、ある程度食器類１７に付着した汚れや残菜を落とした後に、再給水により清浄な水（洗浄力を高めるために図示しないヒータで加熱した高温の洗浄水としてもよい）を使って洗剤による本洗い工程を行う。これらの工程を実施することで、洗剤の効果をより有効に活用し、次に行う水すすぎ工程に要する時間や水量を最小限に抑えることができる。
【００６４】
洗い工程の後、洗い工程で使用した洗浄水を排水する。そして新しい水が給水された後の水すすぎ工程では、下側の洗浄ノズル１１への送水によるすすぎ運転から始め、一定時間のすすぎ運転後、分水切換弁６ａによりタワーノズル１３の送水に切り換え、すすぎ運転を行う。
【００６５】
そして、その後も洗浄ノズル１１とタワーノズル１３のすすぎ運転を交互に繰り返し
（食器洗い機の制御は洗い工程と同じ）、一定サイクル運転した後、タワーノズル１３側の運転で終了し、排水工程を行う。
【００６６】
排水工程後、給水工程を行い、再度水すすぎ工程を行い、水すすぎ工程を複数回繰り返す。複数回の水すすぎ工程を終了後、排水，給水工程をはさんで温度を上げた加熱すすぎ工程へと移行する。
【００６７】
加熱すすぎ工程においても、本洗い工程同様に下側の洗浄ノズル１１のすすぎ運転から始まり、分水切換弁６ａによりタワーノズル１３と洗浄ノズル１１のすすぎ運転を交互に繰り返し、一定サイクル運転した後、タワーノズル１３によるすすぎ運転で終了し、排水工程を行う。そして、加熱すすぎ工程で使用したすすぎ水の排水後は、図示しないが温風を洗浄槽２内に供給する乾燥工程を行い全工程が終了となる。
【００６８】
なお、水すすぎ工程や加熱すすぎ工程において、下段の洗浄ノズル１１とタワーノズル１３への分水時間が必ずしも均等である必要はなく、例えば配置された食器点数のより多い下段の洗浄ノズル１１への分水時間を延ばしてもよい。
【００６９】
以上述べたように、本実施例においては、従来の構成と異なり、タワーノズルを補助ノズルとして使用するのではなく、それぞれをメインとして食器類を洗浄することができる。このため、従来のタワーノズルを用いた噴射水は、メインノズルである下洗浄ノズルと比べて水量が限定され、ある特定のエリアに配置した食器のみを狙って配置しているものであった。また、補助的な洗浄手段であるタワーノズルは、その洗浄範囲が限られていたため、タワーノズルから離れた食器類には洗浄効果が薄く、効率は良くないものであった。
【００７０】
また、上下の食器かごに収納された食器類の大半を下洗浄ノズルにより洗浄するため、上段のコップ類は下段の食器類の隙間を狙う限定された範囲での配置が必要であった。そのため、下段に想定外の形状の食器類が配置された場合、上段のコップ類の洗浄にも大きく影響してしまう傾向があり、かつ、上段に配置したコップ類は下洗浄ノズルからの洗浄水がコップの奥まで充分入るように開口部を下向きにしてほぼ立てた状態で配置する必要があり、極端に傾けた配置はできなかった。そのため、洗浄水がコップの奥まで行き渡る反面、コップの糸底には洗浄水が残りやすい傾向があった。
【００７１】
しかしながら、本実施例のごとく、分水機構部７を用いて、下段の洗浄ノズル１１と上段のタワーノズル１３への送水を分水することで、洗浄ノズル１１とタワーノズル１３への両方同時に噴射した運転を行う場合に比べ、洗浄水の水圧を保持しながら少ない水量で運転することができる。
【００７２】
また、タワーノズル１３による上側からの洗浄も下段のみの運転と同等かそれ以下の水圧，水量で運転が可能となり、これにより上下でより均等に近い洗浄が行うことができ、トータル的に使用する水量が少なくすることが可能になると共に洗浄性能も向上する。
【図面の簡単な説明】
【００７３】
【図１】本発明の一実施例の食器洗い機における、洗浄槽を引き出した状態の斜視図である。
【図２】本発明の一実施例の食器洗い機における、正面から食器洗い機の内部を見た断面斜視図である。
【図３】本発明の一実施例における、洗浄ノズルとタワーノズルと水撒部材との関係を表す図である。本発明の一実施例で、分水機構部の斜視図である。
【図４】本発明の一実施例における、タワーノズルと水撒部材との関係を表す図である。
【図５】本発明の一実施例における、タワーノズル先端部の断面図である。
【図６】本発明の一実施例における、水撒部材の側面図である。
【図７】本発明の一実施例における水撒部材の下面図である。タワーノズルの分解斜視図である。
【図８】本発明の一実施例における、分水機構部を上方から見た斜視図である。
【図９】本発明の一実施例における、分水弁の一例を示す図である。
【図１０】本発明の一実施例における、タワーノズル側に送水した状態の断面図である。
【図１１】本発明の一実施例における、洗浄ノズル側に送水した状態の断面図である。
【図１２】本発明の一実施例における、側面から食器洗い機の内部を見た断面斜視図である。
【図１３】本発明の一実施例における、上方から洗浄槽を見た図である。
【符号の説明】
【００７４】
１    外枠
２    洗浄槽
５    洗浄ポンプ
６ａ  分水切換弁
６ｂ  ノズル軸
７    分水機構部
９    駆動モータ
１０    ノズル孔
１１    洗浄ノズル
１２    固定ノズル孔
１３    タワーノズル
１４    水撒部材
１４ｂ  洗剤収容部
１５    噴射口
１６    回転推進用ノズル孔
【図１】
2008073131.tif 000003
【図２】
2008073131.tif 000004
【図３】
2008073131.tif 000005
【図４】
2008073131.tif 000006
【図５】
2008073131.tif 000007
【図６】
2008073131.tif 000008
【図７】
2008073131.tif 000009
【図８】
2008073131.tif 000010
【図９】
2008073131.tif 000011
【図１０】
2008073131.tif 000012
【図１１】
2008073131.tif 000013
【図１２】
2008073131.tif 000014
【図１３】
2008073131.tif 000015